(57)【要約】【課題】利便性の向上を図ることが可能なセキュリティ装置を提供する。【解決手段】セキュリティ装置４０の認証部４３は、ＩＤ情報が読み取られたカードリーダに対応する扉に対するセキュリティ解除の可否判断を行うとともに、ＩＤ情報が読み取られたカードリーダ以外のカードリーダに対応する扉に対するセキュリティ解除の可否判断も行い、セキュリティ装置４０の扉制御部４４は、認証部４３による判断結果に応じて、ＩＤ情報が読み取られたカードリーダに対応する扉を制御するとともに、ＩＤ情報が読み取られたカードリーダ以外のカードリーダに対応する扉も制御する。【選択図】図２
2011140843.tif 000002
【特許請求の範囲】
【請求項１】
施設の複数のゲートに対応して設けられた複数の認証情報読取装置によって読み取られた認証情報を取得する認証情報取得部と、
前記認証情報と前記複数のゲートを通行可能であるか否かとを関連付けた情報である通行可能認証情報が登録される記憶部と、
取得された前記認証情報と、前記通行可能認証情報と、に基づいて前記ゲートのセキュリティ解除の可否判断を行う認証部と、
前記認証部による判断結果に基づいて前記ゲートを制御するゲート制御部と、
を備え、
前記認証部は、前記認証情報が読み取られた認証情報読取装置に対応するゲートに対するセキュリティ解除の可否判断を行うとともに、前記認証情報が読み取られた認証情報読取装置以外の認証情報読取装置に対応するゲートに対するセキュリティ解除の可否判断も行い、
前記ゲート制御部は、前記認証部による判断結果に応じて、前記認証情報が読み取られた認証情報読取装置に対応するゲートを制御するとともに、前記認証情報が読み取られた認証情報読取装置以外の認証情報読取装置に対応するゲートも制御する
ことを特徴とするセキュリティ装置。
【請求項２】
前記認証部は、
所定の時間帯において、前記認証情報が読み取られた認証情報読取装置以外の認証情報読取装置に対応するゲートに対するセキュリティ解除の可否判断も行い、
前記所定の時間帯外において、前記認証情報が読み取られた認証情報読取装置以外の認証情報読取装置に対応するゲートに対するセキュリティ解除の可否判断を行わない
ことを特徴とする請求項１に記載のセキュリティ装置。
【請求項３】
複数のゲートと、前記複数のゲートに対応して設けられた複数の認証情報読取装置と、前記複数の認証情報読取装置によって読み取られた認証情報に基づいて前記複数のゲートを制御する請求項１又は請求項２に記載のセキュリティ装置と、を備えるセキュリティシステムであって、
前記ゲート制御部は、セキュリティ解除信号を自身の制御する対応する前記ゲートへ出力することによって当該ゲートを制御し、
前記ゲートは、前記セキュリティ解除信号が入力されることによって、セキュリティが解除されてユーザの通行が許容され、ユーザの通行によって開けられて閉じられた場合に、セキュリティが設定されてユーザの通行が禁止される
ことを特徴とするセキュリティシステム。
【請求項４】
複数のゲートと、前記複数のゲートに対応して設けられた複数の認証情報読取装置と、前記複数の認証情報読取装置によって読み取られた認証情報に基づいて前記複数のゲートを制御する請求項１又は請求項２に記載のセキュリティ装置と、を備えるセキュリティシステムであって、
前記ゲート制御部は、セキュリティ解除信号を自身の制御する対応する前記ゲートへ出力することによって当該ゲートを制御し、
前記ゲートは、前記セキュリティ解除信号が入力されることによって、セキュリティが解除されてユーザの通行が許容され、セキュリティが解除されて一定時間が経過した場合に、セキュリティが設定されてユーザの通行が禁止される
ことを特徴とするセキュリティシステム。
【請求項５】
複数のゲートと、前記複数のゲートに対応して設けられた複数の認証情報読取装置と、前記複数の認証情報読取装置によって読み取られた認証情報に基づいて前記複数のゲートを制御する請求項１又は請求項２に記載のセキュリティ装置と、を備えるセキュリティシステムであって、
前記セキュリティ装置を複数備え、
前記認証情報を読み取ったセキュリティ装置の前記ゲート制御部は、前記認証部による判断結果に応じて、セキュリティ解除信号を自身の制御する対応する前記ゲートへ出力することによって当該ゲートを制御するとともに、セキュリティを解除すべきゲートが他のセキュリティ装置に対応している場合には、当該他のセキュリティ装置に対してセキュリティ解除指示を送信し、
前記セキュリティ解除指示を受信した前記他のセキュリティ装置は、前記他のセキュリティ装置のゲート制御部が、セキュリティ解除信号を自身の制御する対応する前記ゲートに送信する
ことを特徴とするセキュリティシステム。
【発明の詳細な説明】
【技術分野】
【０００１】
本発明は、施設のゲートのセキュリティ解除を行うセキュリティ装置及びセキュリティシステムに関する。
【背景技術】
【０００２】
施設におけるセキュリティを確保するため、施設の適宜箇所にゲート及び認証装置を設置し、通行しようとするヒトの認証を認証装置によって行い、認証結果に基づいてゲートを開閉するセキュリティシステムが知られている（特許文献１，２参照）。
【先行技術文献】
【特許文献】
【０００３】
【特許文献１】特開２００６−１４５８３５号公報
【特許文献２】特開２００８−０２７４３２号公報
【発明の概要】
【発明が解決しようとする課題】
【０００４】
しかしながら、特許文献１，２に記載された技術では、ヒトは、ゲートを通行しようとする度に、ゲート近傍に設けられた認証装置による認証を受ける必要があり、利便性が低いという問題を有している。
【０００５】
本発明は、前記した問題を解決すべく創案されたものであり、利便性の向上を図ることが可能なセキュリティ装置及びセキュリティシステムを提供することを課題とする。
【課題を解決するための手段】
【０００６】
前記課題を解決するため、本発明のセキュリティ装置は、施設の複数のゲートに対応して設けられた複数の認証情報読取装置によって読み取られた認証情報を取得する認証情報取得部と、前記認証情報と前記複数のゲートを通行可能であるか否かとを関連付けた情報である通行可能認証情報が登録される記憶部と、取得された前記認証情報と、前記通行可能認証情報と、に基づいて前記ゲートのセキュリティ解除の可否判断を行う認証部と、前記認証部による判断結果に基づいて前記ゲートを制御するゲート制御部と、を備え、前記認証部は、前記認証情報が読み取られた認証情報読取装置に対応するゲートに対するセキュリティ解除の可否判断を行うとともに、前記認証情報が読み取られた認証情報読取装置以外の認証情報読取装置に対応するゲートに対するセキュリティ解除の可否判断も行い、前記ゲート制御部は、前記認証部による判断結果に応じて、前記認証情報が読み取られた認証情報読取装置に対応するゲートを制御するとともに、前記認証情報が読み取られた認証情報読取装置以外の認証情報読取装置に対応するゲートも制御することを特徴とする。
【発明の効果】
【０００７】
本発明によれば、利便性の向上を図ることができる。
【図面の簡単な説明】
【０００８】
【図１】本発明の実施形態に係るセキュリティ装置を備えるセキュリティシステムを模式的に示す図である。
【図２】図１のセキュリティ装置を示すブロック図である。
【図３】（ａ）は、図２の認証テーブルを説明するための図であり、（ｂ）は、図２の低レベル認証時間帯テーブルを説明するための図であり、（ｃ）は、図２の扉制御テーブルを説明するための図である。
【図４】本発明の実施形態に係る第一のカードリーダ及び第一のセキュリティ装置の動作例を説明するための図である。
【図５】図４のステップＳ４の詳細なフローを説明するための図である。
【図６】（ａ）は、本発明の実施形態に係る第二のセキュリティ装置の動作例を説明するための図であり、（ｂ）は、本発明の実施形態に係る第三のセキュリティ装置の動作例を説明するための図である。
【発明を実施するための形態】
【０００９】
以下、本発明の実施形態について、適宜図面を参照しながら説明する。同様の部分には同一符号を付し、重複する説明を省略する。以下の説明において、認証情報としてＲＦＩＤカードに記憶されたＩＤ情報を用いる場合を例にとって説明するが、認証情報は、前記ＩＤ情報に限定されず、指紋等の生体情報、パスワード等であってもよい。認証情報として指紋を用いる場合には、認証情報読取装置として指紋読取装置が用いられ、認証情報としてパスワードを用いる場合には、認証情報読取装置としてテンキーが用いられる。また、以下の説明において、ゲートとして自動ドア（以下、単に「扉」と記載することがある。）を用いる場合を例にとって説明するが、ゲートは、前記自動ドアに限定されず、電気錠付き扉、改札機等のゲートであってもよい。
【００１０】
まず、本発明の実施形態に係るセキュリティ装置を備えるセキュリティシステムの構成について、図１〜図３を参照して説明する。図１は、本発明の実施形態に係るセキュリティ装置を備えるセキュリティシステムを模式的に示す図である。図２は、図１のセキュリティ装置を示すブロック図である。図３（ａ）は、図２の認証テーブルを説明するための図であり、図３（ｂ）は、図２の低レベル認証時間帯テーブルを説明するための図であり、図３（ｃ）は、図２の扉制御テーブルを説明するための図である。
【００１１】
図１に示すように、本発明の実施形態に係るセキュリティシステム１は、途中で二股に分岐する通路１１を備える施設１０に適用されるシステムである。この通路１１は、図１の左側が施設１０の出入口側に相当し、図１の右側が施設１０の奥側に相当する。そして、セキュリティシステム１は、通路１１の所定位置に設けられた自動ドアである第一の扉２１、第二の扉２２、第三の扉２３、第四の扉２４及び第五の扉２５を備える。これらの扉２１〜２５は、ゲートの一例であり、通常時には、施設出入口側から施設奥側（図１の左から右）へのヒトの通行を規制するように閉じられており、後記するセキュリティ装置４０（４０Ａ，４０Ｂ，４０Ｃ）から送信されたセキュリティ解除信号に基づいて当該扉２１〜２５を開けることによって、施設出入口側から施設奥側へのヒトの通行を許容するように構成されている。また、これらの扉２１〜２５は、図示しない人感センサの検出結果に基づいて、一度開けられてヒトが通行した後に閉じられるように構成されている。なお、扉２１〜２５は、セキュリティが解除されて一定時間が経過した場合に、セキュリティが設定されて通行を禁止するようにしても良い。また、これらの扉２１〜２５は、図示しない人感センサの検出結果に基づいて、施設奥側から施設出入口側（図１の右から左）へのヒトの通行を常に許容するように構成されている。通路１１は、第二の扉２２の施設奥側において第一の分岐路１１ａ及び第二の分岐路１１ｂに分岐しており、第一の分岐路１１ａには第三の扉２３が設けられ、第二の分岐路１１ｂには第四の扉２４及び第五の扉２５が設けられている。なお、本発明におけるゲートは、前記した扉２１〜２５に限定されず、エレベータ、シャッタ等、セキュリティ解除信号に基づいて制御されてヒトの移動を許容したり規制したりすることができるものであればよい。
【００１２】
また、セキュリティシステム１は、扉２１〜２５に対応して扉２１〜２５近傍の壁の施設出入口側に設けられた認証情報読取装置としての第一のカードリーダ３１、第二のカードリーダ３２、第三のカードリーダ３３、第四のカードリーダ３４及び第五のカードリーダ３５をさらに備える。カードリーダ３１〜３５は、ヒトによってかざされたＲＦＩＤカードＣから認証情報としてのＩＤ情報を読み取り、読み取られたＩＤ情報を対応するセキュリティ装置４０へ送信する。
【００１３】
また、セキュリティシステム１は、複数のセキュリティ装置４０として、第一のセキュリティ装置４０Ａと、第二のセキュリティ装置４０Ｂと、第三のセキュリティ装置４０Ｃと、をさらに備える。第一のセキュリティ装置４０Ａは、第一の扉２１、第一のカードリーダ３１、第二の扉２２及び第二のカードリーダ３２と通信可能に接続されている。また、第二のセキュリティ装置４０Ｂは、第三の扉２３及び第三のカードリーダ３３と通信可能に接続されている。また、第三のセキュリティ装置４０Ｃは、第四の扉２４、第四のカードリーダ３４、第五の扉２５及び第五のカードリーダ３５と通信可能に接続されている。
【００１４】
また、セキュリティシステム１は、コンピュータ等からなるセンタ装置５０を備える。セキュリティ装置４０Ａ，４０Ｂ，４０Ｃ及びセンタ装置５０はネットワークＮＷを介して互いに通信可能に接続されている。
【００１５】
≪セキュリティ装置≫
セキュリティ装置４０は、ＣＰＵ（Central Processing Unit）、ＲＡＭ（Random Access Memory）、ＲＯＭ（Read-Only Memory）、入出力回路等から構成されており、図２に示すように、機能ブロックとして、ＩＤ情報取得部（認証情報取得部）４１と、記憶部４２と、認証部４３と、扉制御部（ゲート制御部）４４と、カードリーダ制御部（認証情報読取装置制御部）４５と、テーブル管理部４６と、時計部４７と、を備える。
【００１６】
ＩＤ情報取得部４１は、対応するカードリーダから送信されたＩＤ情報を取得し、認証部４３へ出力する。また、ＩＤ情報取得部４１は、他のセキュリティ装置４０及びセンタ装置５０のいずれかから送信された通行可能ＩＤ情報（通行可能認証情報）等を取得し、テーブル管理部４６へ出力することもできる。
【００１７】
記憶部４２には、通行可能ＩＤ情報を格納するためのテーブルとして、図３（ａ）に示す認証テーブル４２ａが記憶される。ここで、通行可能ＩＤ情報は、ＩＤ情報と、当該ＩＤ情報を有するＲＦＩＤカードＣを携帯しているヒトが扉２１〜２５を通行可能であるか否かと、を関連付けた情報である。
【００１８】
また、記憶部４２には、低レベル認証時間帯情報を格納するためのテーブルとして、図３（ｂ）に示す低レベル認証時間帯テーブル４２ｂが記憶される。ここで、低レベル認証時間帯情報は、曜日ごとに、低レベル認証の開始時刻と終了時刻とを関連付けた情報である。
【００１９】
また、記憶部４２には、認証場所と、セキュリティのレベル毎のセキュリティ解除対象扉候補と、を関連付けた情報を格納するためのテーブルとして、図３（ｃ）に示す扉制御テーブル４２ｃが記憶される。
【００２０】
図２に戻り、認証部４３は、ＩＤ情報取得部４１によって取得されたＩＤ情報を用いて扉のセキュリティ解除の可否判断を行う。より詳細には、認証部４３は、認証テーブル４２ａにおいてＩＤ情報に対応する通行可能ＩＤ情報を検索する。認証テーブル４２ａにおいて、ＩＤ情報に対応する通行可能ＩＤ情報が見つかった場合には、認証部４３は、低レベル認証時間帯テーブル４２ｂを参照し、後記する時計部４７によってカウントされている時間（現在日時）が、低レベル認証時間帯であるか否かについて判定する。現在日時が低レベル認証時間帯である場合には、認証部４３は、扉制御テーブル４２ｃを参照し、低レベル認証時間帯におけるセキュリティ解除対象扉候補を認識する。また、現在日時が低レベル認証時間帯でない場合（通常レベル認証時間帯である場合）には、認証部４３は、扉制御テーブル４２ｃを参照し、通常レベル認証時間帯におけるセキュリティ解除対象扉候補を認識する。
続いて、認証部４３は、認証テーブル４２ａの通行可能ＩＤ情報に基づいて、セキュリティ解除対象扉候補の中から実際に扉を通行可能状態に制御するセキュリティ解除対象扉を特定する。この判断結果にしたがって、扉制御部４４及びカードリーダ制御部４５の制御を行う。
【００２１】
扉制御部４４は、認証部４３による判断結果に基づいて、対応する扉を制御する。より詳細には、扉制御部４４は、認証部４３による判断結果が、自身の制御する扉において開扉可能なものである場合に、セキュリティ解除信号を対応する扉へ送信する。また、扉制御部４４は、認証部４３による判断結果の中に、自身の制御する扉以外にセキュリティ解除対象扉がある場合には、他のセキュリティ装置４０に対してセキュリティ解除指示を送信する。
【００２２】
カードリーダ制御部４５は、認証部４３による判断結果又は扉制御部４４からのセキュリティ解除信号又は他のセキュリティ装置４０の扉制御部４４からのセキュリティ解除指示のいずれかに基づいて、対応するカードリーダを制御する。より詳細には、カードリーダ制御部４５は、認証部４３による判断結果が、開扉可能なものである場合等に、その旨を示す信号を対応するカードリーダへ送信する。かかる信号を受信したカードリーダは、図示しない発光部等を駆動することによって、扉のセキュリティ状態をヒトへ通知する。
【００２３】
テーブル管理部４６は、認証テーブル４２ａ、低レベル認証時間帯テーブル４２ｂ及び扉制御テーブル４２ｃを管理する。より詳細には、テーブル管理部４６は、例えばセンタ装置５０からの指示に従い、認証テーブル４２ａ、低レベル認証時間帯テーブル４２ｂ及び扉制御テーブル４２ｃのデータを削除したり更新したりする。
【００２４】
時計部４７は、年月日時分秒をカウントする。
【００２５】
かかるセキュリティシステム１によると、例えば、図３のＩＤ情報「０１２３４５６７８９」を有するＲＦＩＤカードＣを携帯しているヒトは、施設１０に入って第一の扉２１、第二の扉２２、第三の扉２３、第四の扉２４及び第五の扉２５を通行することができる。しかし、図３のＩＤ情報「９８７６５４３２１１」を有するＲＦＩＤカードＣを携帯しているヒトは、施設１０に入って第一の扉２１、第二の扉２２及び第三の扉２３を通行することはできるが、第四の扉２４及び第五の扉２５を通行することはできない。このように、ヒトに応じて施設１０内に移動範囲を制限することができ、施設１０のセキュリティを好適に設定することができる。そして、低レベル認証時間帯であれば、第一の扉２１において１回だけ認証を行うことにより、第一の扉２１以外の通行可能な扉も同時にセキュリティを解除することができ、認証回数を減らして利便性の向上を図ることができる。
【００２６】
≪動作例≫
続いて、本発明の実施形態に係るセキュリティシステム１の動作例について、図４〜図６を参照して説明する。この動作例はＩＤ情報「９８７６５４３２１１」を有するＲＦＩＤカードＣが第一のカードリーダ３１によって読み取られた場合のものである。図４は、本発明の実施形態に係る第一のカードリーダ及び第一のセキュリティ装置の動作例を説明するための図である。図５は、図４のステップＳ４の詳細なフローを説明するための図である。図６（ａ）は、本発明の実施形態に係る第二のセキュリティ装置の動作例を説明するための図であり、図６（ｂ）は、本発明の実施形態に係る第三のセキュリティ装置の動作例を説明するための図である。
【００２７】
図４に示すように、まず、ＲＦＩＤカードＣを携帯しているヒトが当該ＲＦＩＤカードＣを第一のカードリーダ３１にかざすと、第一のカードリーダ３１は、ＲＦＩＤカードＣが有するＩＤ情報を取得し（ステップＳ１でＹｅｓ）、取得されたＩＤ情報を対応する第一のセキュリティ装置４０Ａへ送信する（ステップＳ２）。
【００２８】
続いて、第一のセキュリティ装置４０ＡのＩＤ情報取得部４１がＩＤ情報を取得すると（ステップＳ３でＹｅｓ）、認証部４３は、認証処理を行う（ステップＳ４）。
【００２９】
認証処理（ステップＳ４）では、図５に示すように、認証部４３は、ＩＤ情報を用いて認証テーブル４２ａを検索する（ステップＳ２１）。認証テーブル４２ａにおいて、取得されたＩＤ情報に対応する通行可能ＩＤ情報が見つかった場合には（ステップＳ２１でＹｅｓ）、本フローはステップＳ２２へ移行する。認証テーブル４２ａにおいて、取得されたＩＤ情報に対応する通行可能ＩＤ情報が見つからなかった場合には（ステップＳ２１でＮｏ）、本フローは図４のステップＳ３へ戻る。
【００３０】
ステップＳ２１でＹｅｓの場合には、認証部４３は、時計部４７から現在日時を取得する（ステップＳ２２）。
続いて、認証部４３は、低レベル認証時間帯テーブル４２ｂを参照し、現在日時が低レベル認証時間帯であるか否かを判定する（ステップＳ２３）。
続いて、認証部４３は、扉制御テーブル４２ｃを参照し、認証場所、認証のレベルに応じてどの扉をセキュリティ解除対象扉候補とするかを判定する（ステップＳ２４）。
ここで、ステップＳ２３において、現在日時が低レベル認証時間帯であると判定された場合には、ステップＳ２４において、認証部４３は、第一の扉２１、第二の扉２２、第三の扉２３、第四の扉２４及び第五の扉２５をセキュリティ解除対象扉候補と判定する。また、ステップＳ２３において、現在日時が低レベル認証時間帯ではない（すなわち、通常レベル認証時間帯である）と判定された場合には、ステップＳ２４において、認証部４３は、第一の扉２１のみをセキュリティ解除対象扉候補と判定する。
【００３１】
続いて、認証部４３は、通行可能ＩＤ情報に基づいて、セキュリティ解除対象扉候補の中からセキュリティ解除対象扉を特定するための判定を行う（ステップＳ２５）。かかる判定において、認証部４３は、図３（ａ）の認証テーブル４２ａにおいて、取得されたＩＤ情報に対応する通行可能ＩＤ情報が、セキュリティ解除対象扉候補において「○」であるか「×」であるかを調べる。例えば、図３（ｃ）参照の結果、第一の扉２１がセキュリティ解除対象扉候補であった場合、図３（ａ）の認証テーブル４２ａにおいて、取得されたＩＤ情報に対応する通行可能ＩＤ情報が、第一の扉「○」である場合には、認証部４３は、第一の扉２１がセキュリティ解除対象扉であると判定する。本動作例では、ＩＤ情報は「９８７６５４３２１１」であるので、ステップＳ２３において、現在日時が低レベル認証時間帯であると判定された場合には、ステップＳ２５において、認証部４３は、セキュリティ解除対象扉候補である第一の扉２１〜第五の扉２５のうち、第一の扉２１〜第三の扉２３をセキュリティ解除対象扉であると判定し、第四の扉２４及び第五の扉２５をセキュリティ解除対象扉ではないと判定する。また、ステップＳ２３において、現在日時が通常レベル認証時間帯であると判定された場合には、ステップＳ２５において、認証部４３は、セキュリティ解除対象扉候補である第一の扉２１のうち、第一の扉２１をセキュリティ解除対象扉であると判定する。
【００３２】
図４に戻り、第一のセキュリティ装置４０Ａの制御する扉にセキュリティ解除対象扉がある場合（すなわち、扉を通行可能とすべき場合。ステップＳ５でＹｅｓ）には、扉制御部４４は、セキュリティ解除信号を対応する扉へ送信する（ステップＳ６）。対応する扉は、セキュリティ解除信号に基づいて、自動的に開く。
ここで、ステップＳ２３において、現在日時が低レベル認証時間帯であると判定された場合には、扉制御部４４は、第一の扉２１及び第二の扉２２へセキュリティ解除信号を送信する。第一の扉２１及び第二の扉２２は、セキュリティ解除信号に基づいて、自動的に開く。また、ステップＳ２３において、現在日時が低レベル認証時間帯ではない（すなわち、通常レベル認証時間帯である）と判定された場合には、扉制御部４４は、第一の扉２１のみへセキュリティ解除信号を送信する。第一の扉２１は、セキュリティ解除信号に基づいて、自動的に開く。
【００３３】
ステップＳ５でＮｏの場合又はステップＳ６の実行後において、第一のセキュリティ装置４０Ａ以外の他のセキュリティ装置４０である第二のセキュリティ装置４０Ｂの制御する扉にセキュリティ解除対象扉がある場合（ステップＳ７でＹｅｓ）には、第一のセキュリティ装置４０Ａの扉制御部４４は、セキュリティ解除指示を第二のセキュリティ装置４０Ｂへ送信する（ステップＳ８）。なお、どのセキュリティ装置４０がどの扉を制御しているかは、セキュリティ装置と扉との対応関係を登録した図示しないテーブルに基づいて判断すればよい。
ここで、ステップＳ２３において、現在日時が低レベル認証時間帯であると判定された場合には、ステップＳ８において、第一のセキュリティ装置４０Ａの扉制御部４４は、第三の扉２３のセキュリティを解除する旨のセキュリティ解除指示を第二のセキュリティ装置４０Ｂへ送信する。また、ステップＳ２３において、現在日時が低レベル認証時間帯ではない（すなわち、通常レベル認証時間帯である）と判定された場合には、扉制御部４４は、セキュリティ解除指示を第二のセキュリティ装置４０Ｂへ送信することはない。
【００３４】
ステップＳ７でＮｏの場合又はステップＳ８の実行後において、第三のセキュリティ装置４０Ｃの制御する扉にセキュリティ解除対象扉がある場合（ステップＳ９でＹｅｓ）には、第一のセキュリティ装置４０Ａの扉制御部４４は、セキュリティ解除指示を第三のセキュリティ装置４０Ｃへ送信する（ステップＳ１０）。
ただし、今回の動作例の場合は第四の扉２４及び第五の扉２５はセキュリティ解除対象扉ではないため、ステップＳ２３において、現在日時が低レベル認証時間帯であると判定された場合であっても、現在日時が低レベル認証時間帯ではない（すなわち、通常レベル認証時間帯である）と判定された場合であっても、扉制御部４４は、セキュリティ解除指示を第三のセキュリティ装置４０Ｃへ送信することはない。
【００３５】
続いて、図６（ａ）に示すように、第二のセキュリティ装置４０Ｂが第一のセキュリティ装置４０Ａから送信されたセキュリティ解除指示を取得すると（ステップＳ１１でＹｅｓ）、第二のセキュリティ装置４０Ｂの扉制御部４４は、セキュリティ解除信号を対応する扉（この場合は第三の扉２３）へ送信する（ステップＳ１２）。
そして、第三の扉２３は、セキュリティ解除信号に基づいて、自動的に開く。
【００３６】
また、図６（ｂ）に示すように、第三のセキュリティ装置４０Ｃが第一のセキュリティ装置４０Ａから送信されたセキュリティ解除指示を取得すると（ステップＳ１３でＹｅｓ）、扉制御部４４は、セキュリティ解除信号を対応する扉へ送信する（ステップＳ１４）。
【００３７】
セキュリティ解除信号に基づいて自動的に開いた扉は、図示しない人感センサの検出結果に基づいて、ヒトが通行した後に自動的に閉じ、セキュリティが設定されてヒトの通行が禁止される構成であってもよい。また、セキュリティ解除信号に基づいて自動的に開いた扉は、一定時間経過後に自動的に閉じ、セキュリティが設定されてヒトの通行が禁止される構成であってもよい。
【００３８】
本発明の実施形態に係るセキュリティ装置４０は、一台のカードリーダによって読み取られたＩＤ情報に基づいて複数の扉に対するセキュリティ解除の可否判断を行い、通行可能であると判定された扉を制御してセキュリティを解除するので、認証に伴うヒトの動作回数を減らし、利便性の向上を図ることができる。
また、本発明の実施形態に係るセキュリティ装置４０は、低レベル認証時間帯においては、ＩＤ情報が読み取られたカードリーダ以外のカードリーダに対応する扉に対してもセキュリティの解除を行い、通常レベル認証時間帯においては、ＩＤ情報が読み取られたカードリーダ以外のカードリーダに対応する扉に対してセキュリティの解除を行わないことから、セキュリティ性を損なわずに利便性の向上を図ることができる。
【００３９】
以上、本発明の実施形態について説明したが、本発明は前記実施形態に限定されず、本発明の要旨を逸脱しない範囲で適宜設計変更可能である。例えば、前記実施形態においてはセキュリティ装置４０を複数に分散して設ける構成としたが、施設１０の全ての扉及びカードリーダを制御することが可能な一台のセキュリティ装置４０を備える構成であってもよい。また、低レベル認証時間帯テーブル４２ｂに代えて、曜日ごとに、通常レベル認証の開始時刻と終了時刻とを関連付けた情報である通常レベル認証時間帯情報を格納する通常レベル認証時間帯テーブルを用いる構成であってもよい。また、セキュリティ解除信号に基づいて自動的に開いた扉が自動的に閉じるまでの時間を、認証場所からの距離に応じて変える（遠いほど長くする）構成であってもよい。また、自動ドアである扉に代えて電気錠付き扉を用いる場合には、セキュリティ装置４０は、セキュリティ解除信号を送信してから一定時間経過後に、セキュリティ設定信号（施錠信号）を電気錠付き扉へ送信し、電気錠付き扉を施錠する構成であってもよい。
【符号の説明】
【００４０】
１      セキュリティシステム
２１，２２，２３，２４，２５  扉（ゲート）
３１，３２，３３，３４，３５  カードリーダ（認証情報読取装置）
４０，４０Ａ，４０Ｂ，４０Ｃ  セキュリティ装置
４１    ＩＤ情報取得部（認証情報取得部）
４２    記憶部
４２ａ  認証テーブル
４２ｂ  低レベル認証時間帯テーブル
４２ｃ  扉制御テーブル
４３    認証部
４４    扉制御部（ゲート制御部）
【図１】
2011140843.tif 000003
【図２】
2011140843.tif 000004
【図３】
2011140843.tif 000005
【図４】
2011140843.tif 000006
【図５】
2011140843.tif 000007
【図６】
2011140843.tif 000008